(57)【要約】【課題】羽根物用可変入賞装置の入賞口を上下二段に構成するにあたり、構造の複雑化やコストアップを回避する。【解決手段】遊技球を内部の入賞領域２１へ導く入賞口１９と、入賞口１９を開閉させる可動片２０と、入賞領域２１に設けられる特定入賞口２２とを備える可変入賞装置１４であって、入賞口１９を上下二段に構成すると共に、上下二段の入賞口１９Ａ、１９Ｂを同じ可動片２０で開閉させる。例えば、可動片２０は、二方向に回動自在に構成され、第一の方向への回動で上段入賞口１９Ａを開放し、第二の方向への回動で下段入賞口１９Ｂを開放させる。【選択図】図６
2007260030.tif 000002
【特許請求の範囲】
【請求項１】
遊技球を内部の入賞領域へ導く入賞口と、該入賞口を開閉させる可動片と、入賞領域に設けられる特定入賞口とを備える可変入賞装置であって、
前記入賞口を上下二段に構成すると共に、上下二段の入賞口を同じ可動片で開閉させることを特徴とする可変入賞装置。
【請求項２】
前記入賞領域は、上段入賞口から入賞した遊技球を受け入れる上段入賞領域と、下段入賞口から入賞した遊技球を受け入れる下段入賞領域とを含み、該下段入賞領域には、特定入賞口を設け、上段入賞領域には、上段入賞口から入賞した遊技球を、所定の比率で下段入賞領域へ導く振分け装置を設けたことを特徴とする請求項１記載の可変入賞装置。
【請求項３】
前記可動片は、上下二段の入賞口を同時に開放させることを特徴とする請求項１又は２記載の可変入賞装置。
【請求項４】
前記可動片は、上下二段の入賞口のうち、いずれか一方を選択的に開放させることを特徴とする請求項１又は２記載の可変入賞装置。
【請求項５】
前記可動片は、二方向に回動自在に構成され、第一の方向への回動で上段入賞口を開放し、第二の方向への回動で下段入賞口を開放させることを特徴とする請求項４記載の可変入賞装置。
【請求項６】
遊技盤面に可変入賞装置を備え、該可変入賞装置内の特定入賞口に遊技球が入賞したとき、遊技者に有利な状態を出現させる弾球遊技機であって、
前記遊技盤面に、請求項１〜５のいずれかに記載の可変入賞装置を備えることを特徴とする弾球遊技機。
【発明の詳細な説明】
【技術分野】
【０００１】
本発明は、弾球遊技機の遊技盤面に設けられる可変入賞装置及びそれを備える弾球遊技機に関し、特に、一般に羽根物と称される弾球遊技機及びそれに用いる可変入賞装置に関する。
【背景技術】
【０００２】
図９に示すように、羽根物と称される弾球遊技機の遊技盤面には、通常、可変入賞装置１００、第一始動口１０１及び第二始動口１０２が設けられている。第一始動口１０１に遊技球が入賞すると、可変入賞装置１００の可動片１０３が一回開放動作（例えば、０．４秒）され、第二始動口１０２に遊技球が入賞すると、可動片１０３が二回開放動作される。このとき、可動片１０３に遊技球が乗ると、遊技球が入賞口１０４を介して可変入賞装置１００の入賞領域１０５に導かれる。可変入賞装置１００の入賞領域１０５には、特定入賞口１０６があり、ここに遊技球が入賞すると、遊技者に有利な大当り動作が行われる。
【０００３】
大当り動作は、所定回数にわたる可動片１０３の連続開閉動作を１ラウンドとし、これを規定ラウンド回数（例えば、１５回）繰り返すものであり、短時間に多くの遊技球を獲得できることから、遊技者は特定入賞口１０６への入賞を願って遊技を行っている。しかしながら、従来の可変入賞装置１００では、入賞口１０４が左右に一つずつ形成されているに過ぎず、しかも、入賞口１０４から入賞した遊技球は、可変入賞装置１００の入賞領域１０５で略同様の挙動を示すため、遊技が単調になり易く、遊技者の興味が持続しないという問題があった。
【０００４】
そこで、入賞口を上下二段に構成した可変入賞装置が提案されている（例えば、特許文献１参照）。可変入賞装置をこのように構成すると、上段入賞口から入賞した遊技球の挙動と、下段入賞口から入賞した遊技球の挙動とに差異を生じさせることができるので、羽根物の遊技が単調になることを防止し、遊技者の興味を持続させることが可能になる。
【特許文献１】特開２００２−３３１０９８号公報
【発明の開示】
【発明が解決しようとする課題】
【０００５】
しかしながら、特許文献１に記載される可変入賞装置は、上段入賞口を開閉させる上段可動片と、下段入賞口を開閉させる下段可動片とを備え、始動口への入賞に応じて上段可動片及び／又は下段可動片を選択的に開放させるので、構造が複雑になるだけでなく、部品点数が増加してコスト高になるという問題がある。
【課題を解決するための手段】
【０００６】
本発明は、上記の如き実情に鑑みこれらの課題を解決することを目的として創作されたものであり、遊技球を内部の入賞領域へ導く入賞口と、該入賞口を開閉させる可動片と、入賞領域に設けられる特定入賞口とを備える可変入賞装置であって、前記入賞口を上下二段に構成すると共に、上下二段の入賞口を同じ可動片で開閉させることを特徴とする。このようにすると、入賞口を上下二段に構成しても、可動片の数を増やす必要がないので、構造の複雑化やコストアップを回避することができる。
また、前記入賞領域は、上段入賞口から入賞した遊技球を受け入れる上段入賞領域と、下段入賞口から入賞した遊技球を受け入れる下段入賞領域とを含み、該下段入賞領域には、特定入賞口を設け、上段入賞領域には、上段入賞口から入賞した遊技球を、所定の比率で下段入賞領域へ導く振分け装置を設けたことを特徴とする。このようにすると、上段入賞口に対する入賞の価値と、下段入賞口に対する入賞の価値との間に明確な差を生じさせることができるだけでなく、機械的な振分け抽選によって遊技者の興味を持続させることができる。
また、前記可動片は、上下二段の入賞口を同時に開放させることを特徴とする。このようにすると、上段入賞口及び下段入賞口の同時開放により、入賞に対する期待感を高めることができる。
また、前記可動片は、上下二段の入賞口のうち、いずれか一方を選択的に開放させることを特徴とする。このようにすると、上下二段の入賞口を同じ可動片で開閉させるものでありながら、各入賞口を個別の可動片で開放させるものと同等のゲーム性を実現することができる。例えば、第一始動口に入賞すると上段入賞口が開放し、第二始動口に入賞すると下段入賞口が開放するといったゲーム仕様の弾球遊技機にも適用することが可能になる。
また、前記可動片は、二方向に回動自在に構成され、第一の方向への回動で上段入賞口を開放し、第二の方向への回動で下段入賞口を開放させることを特徴とする。このようにすると、可動片の動作機構を、二方向に駆動するアクチュエータ（モータなど）を用いて簡単に構成することができる。
また、遊技盤面に可変入賞装置を備え、該可変入賞装置内の特定入賞口に遊技球が入賞したとき、遊技者に有利な状態を出現させる弾球遊技機であって、前記遊技盤面に、上記のいずれかに記載の可変入賞装置を備えることを特徴とする。このようにすると、入賞口が上下二段に構成された可動入賞装置を備える弾球遊技機でありながら、構造の複雑化やコストアップを回避することができる。
【発明の効果】
【０００７】
上記のように構成された本発明によれば、入賞口を上下二段に構成したものでありながら、上下二段の入賞口を同じ可動片で開閉させるので、可動片の数を増やす必要がなく、その結果、構造の複雑化やコストアップを回避することができる。
【発明を実施するための最良の形態】
【０００８】
［弾球遊技機］
次に、本発明の実施形態について、図面に基づいて説明する。図１及び図２において、１はパチンコ遊技機（弾球遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００９】
パチンコ遊技機１の正面部は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、台間玉貸し機３に遊技球の貸出指示を行う貸出操作部９と、効果音を発生するスピーカ１０とを備えており、また、パチンコ遊技機１の背面部は、払出用の遊技球を溜める遊技球タンク１１と、遊技球タンク１１内の遊技球を上皿６に払い出す賞球払出装置１２と、遊技球を発射する発射モータ（発射装置）１３と、各種の制御基板とを備えている。
【００１０】
図３に示すように、遊技盤４には、遊技領域の略中央部に配置される可変入賞装置１４と、遊技領域の下部に左右振分け状に配置され、比較的入賞しやすい左右一対の第一始動口１５と、遊技領域の下部中央位置に配置され、第一始動口１５に比して入賞しにくい第二始動口１６と、風車１７と、多数の遊技釘１８とが設けられている。
【００１１】
［可変入賞装置］
図３〜図６に示すように、可変入賞装置１４は、いわゆる羽根物用のものであって、遊技球を内部へ導く入賞口１９と、入賞口１９を開閉させる可動片２０と、内部の入賞領域２１に設けられる特定入賞口２２と、内部の入賞領域に設けられる普通入賞口（図示せず）とを備えて構成され、特定入賞口２２に対する遊技球の入賞を契機として、遊技者に有利な大当り動作を行う重要な役物である。
【００１２】
本発明の可変入賞装置１４では、入賞口１９が上下二段に構成されており、上段入賞口１９Ａから入賞した遊技球は、上段入賞領域２１Ａに導かれ、下段入賞口１９Ｂから入賞した遊技球は、下段入賞領域２１Ｂに導かれる。下段入賞領域２１Ｂには、特定入賞口２２と、左右の各下段入賞口１９Ｂから入賞した遊技球を確実に特定入賞口２２へ導くガイド板２３が左右に設けられている。また、上段入賞領域２１Ａには、上段入賞口１９Ａから入賞した遊技球を、普通入賞口と下段入賞領域２１Ｂとのいずれか一方に導く振分け装置２４が設けられている。この振分け装置２４は、上段入賞口１９Ａから入賞した遊技球を、所定の比率で下段入賞領域２１Ｂに導くようになっている。このようにすると、上段入賞口１９Ａに対する入賞の価値と、下段入賞口１９Ｂに対する入賞の価値との間に明確な差を生じさせることができるだけでなく、機械的な振分け抽選によって遊技者の興味を持続させることができる。なお、本実施形態のガイド板２３は、各下段入賞口１９Ｂから入賞した遊技球を確実に特定入賞口２２に導くように、特定入賞口２２の近傍まで延在する板状部材にて構成したが、各下段入賞口１９Ｂから入賞した遊技球を確実に特定入賞口２２に導くような構造のものであれば特に制限はない。例えば、ガイド板２３に換えて磁石を用いた公知の遊技球誘導装置を用いることができる。
【００１３】
本実施形態の振分け装置２４に適用される振分け回転体は、周方向に並ぶ複数の遊技球保持孔２４ａ、２４ｂを有しており、常時一定方向に回転される。上段入賞口１９Ａから入賞した遊技球は、いずれかの遊技球保持孔２４ａ、２４ｂに保持され、振分け回転体と共に回転する。遊技球保持孔２４ａ、２４ｂには、例えば、有底のものと無底のものとがあり、無底の遊技球保持孔２４ａに保持された遊技球は、回転の過程で普通入賞口に入賞し、そして遊技盤４の裏側へ導かれ、有底の遊技球保持溝２４ｂに保持された遊技球は、下段入賞領域２１Ｂへ導かれる。そして、本実施形態の振分け装置２４では、無底の遊技球保持孔２４ａを５個、有底の遊技球保持溝２４ｂを１個としているので、上段入賞口１９Ａから入賞した遊技球が下段入賞領域２１Ｂに導かれる比率は、１／６となる。
【００１４】
なお、振分け装置２４は、遊技球の経路を所定の比率で振り分けるものであれば、特に制限はない。例えば、振分け装置２４を、遊技者側に傾斜する傾斜面とこの傾斜面に下段入賞領域２１Ｂへの入口と普通入賞口とが形成された台と、この傾斜面上を回転する振分け回転体と、を有するもので構成してもよい。この場合、上段入賞口１９Ａから入賞した遊技球は、いずれかの遊技球保持孔２４ａ、２４ｂが形成された振分け回転体に保持され、振分け回転体と共に回転する。この回転体は、円盤形状であり、遊技者側に傾斜している。そして遊技球保持孔２４ｂは遊技球保持孔２４ａよりも回転体の中心方向に遊技球１個分以上奥まった位置まで形成され、この回転体の遊技球保持孔２４ａ、２４ｂはそれぞれ無底となっている。また、この台における下段入賞領域２１Ｂへの入口の形成位置は、遊技球を保持した遊技球保持孔２４ｂが台の傾斜面の頂上部に達した際、遊技球の保持箇所に対応した位置となっている。さらに、この台における普通入賞口の形成位置は、遊技球を保持した遊技球保持孔２４ａが台の傾斜面の頂上部に達した際、遊技球の保持箇所に対応した位置となっている。そして、遊技球保持孔２４ａに保持された遊技球は回転の過程で普通入賞口へ、遊技球保持孔２４ｂに保持された遊技球は下段入賞領域２１Ｂへ、それぞれ導かれるようになっている。
【００１５】
本発明の可変入賞装置１４は、上下二段の入賞口１９Ａ、１９Ｂを同じ可動片２０で開閉させるように構成されている。例えば、本実施形態の可動片２０は、中間部を支点２０ａとして回動する正面視三角形状（又は半円形状）の樹脂部材からなり、通常時は、図４に示すように、上下二段の入賞口１９Ａ、１９Ｂを閉じているが、図５に示すように、外開き方向に回動すると、下段入賞口１９Ｂを閉じたまま、上段入賞口１９Ａのみを開放させることができ、また、図６に示すように、内開き方向に回動すると、上段入賞口１９Ａを閉じたまま、下段入賞口１９Ｂのみを開放させることができる。このようにすると、入賞口１９Ａ、１９Ｂを上下二段に構成しても、可動片２０の数を増やす必要がないので、構造の複雑化やコストアップを回避することができる。
【００１６】
また、本実施形態の可動片２０は、上下二段の入賞口１９Ａ、１９Ｂのうち、いずれか一方を選択的に開放させるので、上下二段の入賞口１９Ａ、１９Ｂを同じ可動片２０で開閉させるものでありながら、各入賞口１９Ａ、１９Ｂを個別の可動片で開放させるものと同等のゲーム性を実現することができる。例えば、第一始動口１５に入賞すると上段入賞口１９Ａが開放し、第二始動口１６に入賞すると下段入賞口１９Ｂが開放するといったゲーム仕様を実現できる。しかも、本実施形態の可動片２０は、二方向に回動自在に構成され、第一の方向への回動で上段入賞口１９Ａを開放し、第二の方向への回動で下段入賞口１９Ｂを開放させるので、可動片２０の動作機構を、二方向に駆動するアクチュエータ（モータなど）を用いて簡単に構成することができる。
【００１７】
なお、上記のように構成された可変入賞装置１４においては、上段入賞口１９Ａや下段入賞口１９Ｂに対する入賞の容易性を、可動片２０の長さや遊技釘１８の配置により設定又は調整することができる。例えば、本実施形態では、下段入賞口１９Ｂの近傍に遊技釘１８を配置することにより、下段入賞口１９Ｂに対する入賞の容易性を調整できるようにしている。このようにすると、第二始動口１６への入賞による下段入賞口１９Ｂの開放に際して、どの程度の割合で特定入賞口２２への入賞が発生するかを遊技釘１８の調整にて設定することができる。そして、下段入賞口１９Ｂの開放に際して下段入賞口１９Ｂひいては特定入賞口２２への入賞が発生する割合を、上段入賞口１９Ａの開放に際して上段入賞口１９Ａへの入賞が発生する割合よりも低く設定すると、下段入賞口１９Ｂにおいては、いわゆる一発台のような入賞態様となるので、羽根物と一発台が融合したゲーム性を実現できる。また、ガイド板２３の構造を、各下段入賞口１９Ｂから入賞した遊技球を所定の割合でのみ特定入賞口２２に導くようにすれば、上段入賞口１９Ａと下段入賞口１９Ｂとで特定入賞口２２への入賞率が異なる２つの羽根物のゲーム性を融合したものを実現できる。
【００１８】
叙述の如く構成された本実施形態によれば、遊技球を内部の入賞領域２１へ導く入賞口１９と、入賞口１９を開閉させる可動片２０と、入賞領域２１に設けられる特定入賞口２２とを備える可変入賞装置１４であって、入賞口１９を上下二段に構成すると共に、上下二段の入賞口１９Ａ、１９Ｂを同じ可動片２０で開閉させるので、入賞口１９Ａ、１９Ｂを上下二段に構成しても、可動片２０の数を増やす必要がなく、その結果、構造の複雑化やコストアップを回避することができる。
【００１９】
また、入賞領域２１は、上段入賞口１９Ａから入賞した遊技球を受け入れる上段入賞領域２１Ａと、下段入賞口１９Ｂから入賞した遊技球を受け入れる下段入賞領域２１Ｂとを含み、下段入賞領域２１Ｂには、特定入賞口２２を設け、上段入賞領域２１Ａには、上段入賞口１９Ａから入賞した遊技球を、所定の比率で下段入賞領域２１Ｂへ導く振分け装置２４を設けたので、上段入賞口１９Ａに対する入賞の価値と、下段入賞口１９Ｂに対する入賞の価値との間に明確な差を生じさせることができるだけでなく、機械的な振分け抽選によって遊技者の興味を持続させることができる。
【００２０】
また、本実施形態の可動片２０は、上下二段の入賞口１９Ａ、１９Ｂのうち、いずれか一方を選択的に開放させるので、上下二段の入賞口１９Ａ、１９Ｂを同じ可動片２０で開閉させるものでありながら、各入賞口１９Ａ、１９Ｂを個別の可動片で開放させるものと同等のゲーム性を実現することができる。しかも、本実施形態の可動片２０は、二方向に回動自在に構成され、第一の方向への回動で上段入賞口１９Ａを開放し、第二の方向への回動で下段入賞口１９Ｂを開放させるので、可動片２０の動作機構を、二方向に駆動するアクチュエータ（モータなど）を用いて簡単に構成することができる。
【００２１】
［第二実施形態］
次に、本発明の第二実施形態に係る可変入賞装置を図７及び図８に沿って説明する。ただし、第一実施形態と共通の部分については、第一実施形態と同じ符号を付け、第一実施形態の説明を援用する。
【００２２】
図７及び図８に示すように、第二実施形態の可変入賞装置２５は、上下二段の入賞口１９Ａ、１９Ｂを同時に開放させる点が第一実施形態と相違している。例えば、正面視長方形の可動片２６を中間部を支点２６ａとして外開き方向に回動させれば、可動片２６の上下に形成される上下二段の入賞口１９Ａ、１９Ｂを同時に開放させることが可能になる。このようにすると、上段入賞口１９Ａ及び下段入賞口１９Ｂの同時開放により、入賞に対する期待感を高めることができる。
【図面の簡単な説明】
【００２３】
【図１】パチンコ遊技機の正面図である。
【図２】パチンコ遊技機の背面図である。
【図３】パチンコ遊技機の遊技盤面を示す正面図である。
【図４】第一実施形態に係る可変入賞装置（非動作状態）の正面図である。
【図５】第一実施形態に係る可変入賞装置（上段入賞口開放動作状態）の正面図である。
【図６】第一実施形態に係る可変入賞装置（下段入賞口開放動作状態）の正面図である。
【図７】第二実施形態に係る可変入賞装置（非動作状態）の正面図である。
【図８】第二実施形態に係る可変入賞装置（開放動作状態）の正面図である。
【図９】従来例に係る可変入賞装置の正面図である。
【符号の説明】
【００２４】
１      パチンコ遊技機
４      遊技盤
１４    可変入賞装置
１５    第一始動口
１６    第二始動口
１８    遊技釘
１９Ａ  上段入賞口
１９Ｂ  下段入賞口
２０    可動片
２１Ａ  上段入賞領域
２１Ｂ  下段入賞領域
２２    特定入賞口
２４    振分け装置
２５    可変入賞装置
２６    可動片
【図１】
2007260030.tif 000003
【図２】
2007260030.tif 000004
【図３】
2007260030.tif 000005
【図４】
2007260030.tif 000006
【図５】
2007260030.tif 000007
【図６】
2007260030.tif 000008
【図７】
2007260030.tif 000009
【図８】
2007260030.tif 000010
【図９】
2007260030.tif 000011